(57)【特許請求の範囲】
【請求項１】
装置が実行する方法であって、
第１の番組コンテンツを含む第１の映像信号を生成するステップと、
第１の場所に位置する第１のユーザに対し第１の表示装置に表示するために前記第１の映像信号を第１の出力に提供するステップと、
前記第１の表示装置の能力に従って前記第１の番組コンテンツの画像サイズをスケーリングするステップと、
第２の番組コンテンツを含む第２の映像信号を生成するステップと、
第２の場所に位置する第２のユーザに対し第２の表示装置に表示するために前記第２の映像信号を第２の出力に提供するステップと、
前記第２の表示装置の能力に従って前記第２の番組コンテンツの画像サイズをスケーリングするステップであって、前記第１の表示装置の表示画面のサイズは前記第２の表示装置の表示画面のサイズと異なる、ステップと、
前記第１のユーザから第１のユーザ入力を受信するステップと、
前記第１の番組コンテンツおよび前記第２の番組コンテンツを含む第３の映像信号を生成するステップと、
前記第１のユーザ入力に応答して、前記第３の映像信号を前記第１の出力に提供して、前記第１の番組コンテンツおよび前記第２の番組コンテンツを前記第１の表示装置に表示するステップと、
前記第２の番組コンテンツが前記第1のユーザにより視聴されていることを前記第２のユーザに示す指標を提供するステップと、
前記第２のユーザから第２のユーザ入力を受信するステップと、
前記第２のユーザ入力に応答して、前記第２の番組コンテンツをパスワードの認証画面に置き換えるステップと、
前記第２のユーザからパスワードを受信するステップと、
前記パスワードが有効な認証証明を有する場合、前記第１の番組コンテンツおよび前記第２の番組コンテンツを含む第４の映像信号を生成しおよび提供し、前記第１の番組コンテンツおよび前記第２の番組コンテンツを前記第２の表示装置に表示するステップと、
を含む、方法。
【請求項２】
前記第１の出力および前記第２の出力のうちの少なくとも一方が、ＤＶＩ、ＨＤＭＩ、ＤｉｓｐｌａｙＰｏｒｔ、ＳＣＡＲＴ、ＨＤ１５、コンポジット、Ｓビデオ、およびコンポーネント映像出力のうちの１つを備える、請求項１に記載の方法。
【請求項３】
前記第１の出力および前記第２の出力のうちの少なくとも一方が、有線および無線のネットワーク接続のうちの一方を通じて提供される、請求項１に記載の方法。
【請求項４】
前記第１のユーザ入力および前記第２のユーザ入力のうちの少なくとも一方が、赤外線信号およびＲＦ信号のうちの一方を介して受信される、請求項１に記載の方法。
【請求項５】
前記第１の映像信号および前記第２の映像信号のうちの少なくとも一方が、関連する音声信号をさらに含む、請求項１に記載の方法。
【請求項６】
第１の番組コンテンツを含む第１の映像信号を生成する手段と、
第１の場所に位置する第１のユーザに対し第１の表示装置に表示するために前記第１の映像信号を第１の出力に提供する手段と、
前記第１の表示装置の能力に従って前記第１の番組コンテンツの画像サイズをスケーリングする手段と、
第２の番組コンテンツを含む第２の映像信号を生成する手段と、
第２の場所に位置する第２のユーザに対し第２の表示装置に表示するために前記第２の映像信号を第２の出力に提供する手段と、
前記第２の表示装置の能力に従って前記第２の番組コンテンツの画像サイズをスケーリングする手段であって、前記第１の表示装置の表示画面のサイズは前記第２の表示装置の表示画面のサイズと異なる、手段と、
前記第１のユーザから第１のユーザ入力を受信する手段と、
前記第１の番組コンテンツおよび前記第２の番組コンテンツを含む第３の映像信号を生成する手段と、
前記第１のユーザ入力に応答して、前記第３の映像信号を前記第１の出力に提供して、前記第１の番組コンテンツおよび前記第２の番組コンテンツを前記第１の表示装置に表示する手段と、
前記第２の番組コンテンツが前記第１のユーザにより視聴されていることを前記第２のユーザに示す指標を提供する手段と、
前記第２のユーザから第２のユーザ入力を受信する手段と、
前記第２のユーザ入力に応答して、前記第２の番組コンテンツをパスワードの認証画面に置き換える手段と、
前記第２のユーザからパスワードを受信する手段と、
前記パスワードが有効な認証証明を有する場合、前記第１の番組コンテンツおよび前記第２の番組コンテンツを含む第４の映像信号を生成しおよび提供し、前記第１の番組コンテンツおよび前記第２の番組コンテンツを前記第２の表示装置に表示する手段と、
を備える、装置。
【請求項７】
前記第１の出力および前記第２の出力のうちの少なくとも一方が、ＤＶＩ、ＨＤＭＩ、ＤｉｓｐｌａｙＰｏｒｔ、ＳＣＡＲＴ、ＨＤ１５、コンポジット、Ｓビデオ、およびコンポーネント映像出力のうちの１つを備える、請求項６に記載の装置。
【請求項８】
前記第１の出力および前記第２の出力のうちの少なくとも一方が、有線および無線のネットワーク接続を通じて提供される、請求項６に記載の装置。
【請求項９】
前記第１のユーザ入力および前記第２のユーザ入力のうちの少なくとも一方が、赤外線信号およびＲＦ信号のうちの一方を介して受信される、請求項６に記載の装置。
【請求項１０】
前記第１の映像信号および前記第２の映像信号のうちの少なくとも一方が、関連する音声信号をさらに含む、請求項６に記載の装置。
【発明の詳細な説明】
【技術分野】
【０００１】
（関連出願の相互参照）
本願は、２００８年４月２５日に米国特許商標庁に出願された米国仮特許出願第６１／１２５５８７号に対する優先権およびそれから生じる全ての利益を請求するものである。
【０００２】
本発明は、複数のディスプレイに音声データおよび映像データを提供するディスプレイ・サーバ装置およびそれに対応する方法に関する。この装置は、複数のテレビジョン・ディスプレイなどの視聴覚デバイスとともに使用されるセット・トップ・ボックスの形態であってもよい。
【背景技術】
【０００３】
本発明は、一般に、単一のディスプレイ・サーバを用いて複数のディスプレイ・デバイス上で音声および映像コンテンツを提示する装置および方法に関する。また、この装置および方法は、１つのデバイスにおいて、その他の１つまたは複数のデバイスに表示されているコンテンツをモニタすることができる。この方法およびそれに対応する装置は、家庭、教育、またはビジネスの場で、複数のディスプレイが必要となる環境、または他者が見ているコンテンツをモニタすることが望ましい環境で使用するのに適している。
【０００４】
本節は、以下に述べる本発明の様々な特徴と関係がある可能性がある、当技術分野の様々な特徴を読者に紹介することを目的としている。ここでの説明は、本発明の様々な特徴をより容易に理解できるようにするための背景情報を読者に提供するのに役立つと考えられるものである。従って、以下の説明は、この点に鑑みて読むべきものであり、従来技術を承認するものとして読むべきものではないことを理解されたい。
【発明の概要】
【０００５】
ケーブル、衛星、地上ディジタル、およびＩＰ式など多くのテレビジョン配信システムでは、受信位置においてセット・トップ・ボックスを利用する必要がある。これらのデバイスは、サービス・プロバイダからの特定の信号に同調するように構成され、暗号回路などの機能を備えていることもある。
【０００６】
一般に、従来のセット・トップ・ボックスは、１つの直接接続されたディスプレイを駆動する能力を有する。初期の米国のセット・トップ・ボックスでは、同調したケーブル・テレビジョン・チャネルを特定のＶＨＦチャネルに合わせたテレビジョンに提供するために、同軸接続を使用していた。最近のセット・トップ・ボックスは、コンポジット、コンポーネント、ＳＣＡＲＴ、ＤＶＩまたはＨＤＭＩ接続を介して、同調信号をディスプレイ・デバイスに提供している。主に壁に埋め込まれたテレビジョン・パネルまでのケーブルの敷設にまつわる諸問題に対処するために、システムによっては、接続ボックスからディスプレイへの映像の無線伝送を利用することができるが、サービス・プロバイダから供給されるセット・トップ・ボックスは、依然として従来のケーブル敷設によって接続ボックスに接続されるものである。
【０００７】
セット・トップ・ボックスとディスプレイ・デバイスの関係は、従来は一対一であった。ディスプレイが複数ある家庭その他の環境では、複数のセット・トップ・ボックスが必要であり、各セット・トップ・ボックスを個々のディスプレイ・デバイスに直接取り付けていた。最近のセット・トップ・ボックスは、複数のチューナを備えるようになっているが、これは一般的に、ある番組を表示しながら別の番組を記録する、または複数の番組をピクチャ・イン・ピクチャ方式で表示することを目的としているのであって、複数のディスプレイを駆動することを目的としているのではない。ディスプレイ・デバイスへの接続は、依然として、セット・トップ・ボックスとディスプレイを一対一で対応させて、直接に、短距離で、または映像ごとのケーブルによって行われている。
【０００８】
この一対一の構成では、機器および設定の冗長度が高くなる。例えば、ハードウェアについて言えば、筐体、電源、プロセッサ、チューナ、暗号解読装置、記憶装置、フロント・パネル・ディスプレイ、および制御装置が、セット・トップ・ボックスごとに必要となる。設定でも、お気に入りのチャネル選択、番組ガイドの優先設定、ペアレンタル・コントロールなどの設定をセット・トップ・ボックスごとに個別にプログラミングする必要がある。
【０００９】
また、セット・トップ・ボックスとの関係が一対一であることにより、複数ディスプレイ環境ならではの本来利用できるはずの機能も制限される。セット・トップ・ボックスは、それぞれサービス・プロバイダから番組を受信し、ディスプレイ・デバイスに信号を送ることはするが、他のセット・トップ・ボックスと通信する機能を備えたセット・トップ・ボックスはほとんどない。例外として、一部のサービス・プロバイダが提供しているマルチルーム・ディジタル・ビデオ・レコーダ（ＤＶＲ）技術がある。この技術を用いれば、第２の位置にあるセット・トップ・ボックスが、第１のセット・トップ・ボックスに記録されたコンテンツにアクセスすることができる。
【００１０】
ただし、このシステムには、依然として、上述したハードウェアと設定の冗長性という問題がある。さらに、これらのシステムでは、１つのディスプレイ・デバイスの所にいる視聴者が、別のディスプレイ・デバイスに表示されているコンテンツをモニタすることもできない。本明細書に記載の本発明は、この問題および／またはその他の問題に対処するものである。
【００１１】
上述の問題を解決するために、本発明は、映像コンテンツを受信し、それを複数のディスプレイ・デバイスに提供し、あるディスプレイ・デバイスで別のディスプレイ・デバイスに提供されているコンテンツを視聴できるようにする装置およびそれに対応する方法に関する。本発明の上記その他の特徴について、添付の図面を参照しながら詳細に説明する。
【００１２】
一般に、本発明は、第１の番組コンテンツを含む第１の映像信号を生成すること、前記第１の映像信号を第１の出力に提供すること、第２の番組コンテンツを含む第２の映像信号を生成すること、前記第２の映像信号を第２の出力に提供すること、ユーザ入力を受信すること、ならびに前記ユーザ入力を受信したことに応答して、前記第１の番組コンテンツおよび前記第２の番組コンテンツを含む第３の映像信号を生成し、前記第３の映像信号を前記第１の出力に提供することを含む方法を定義する。
【００１３】
本発明の１つの特徴によれば、この方法は、前記ユーザ入力に応答して、認証情報を求める要求を表示するステップと、認証情報を受信するステップと、前記認証情報を検証するステップとをさらに含む。
【００１４】
本発明の別の特徴によれば、第１の出力および第２の出力はそれぞれ、ＤＶＩ、ＨＤＭＩ、ＤｉｓｐｌａｙＰｏｒｔ（ディスプレイポート）、ＳＣＡＲＴ、ＨＤ１５、コンポジット、Ｓビデオまたはコンポーネント映像出力、あるいは有線または無線のネットワーク接続のうちの１つを備える。
【００１５】
本発明の別の特徴によれば、第１の映像信号および第２の映像信号は、関連する音声信号をさらに含む。
【００１６】
本発明の別の特徴によれば、ユーザ入力は、赤外線信号またはＲＦ信号を介して受信される。
【００１７】
本発明の別の特徴によれば、ユーザ入力は、有線または無線のネットワークを介して受信される。
【００１８】
本発明のさらに別の特徴によれば、第１の番組コンテンツを含む第１の映像信号を生成する手段と、前記第１の映像信号を第１の出力に提供する手段と、第２の番組コンテンツを含む第２の映像信号を生成する手段と、前記第２の映像信号を第２の出力に提供する手段と、ユーザ入力を受信する手段と、前記ユーザ入力を受信したことに応答して、前記第１の番組コンテンツおよび前記第２の番組コンテンツを含む第３の映像信号を生成し、前記第３の映像信号を前記第１の出力に提供する手段とを備える装置が提供される。
【００１９】
本発明のさらに別の特徴によれば、第１の番組コンテンツを含む第１の映像信号を生成するステップと、前記第１の映像信号を第１の出力に提供するステップと、第２の番組コンテンツを含む第２の映像信号を生成するステップと、前記第２の映像信号を第２の出力に提供するステップと、第３の番組コンテンツを求める要求を示すユーザ入力を受信するステップと、前記ユーザ入力を受信したことに応答して、第３の番組コンテンツを含む第３の映像信号を生成し、前記第３の映像信号を前記第２の出力に提供するステップとを含む方法が提供される。
【００２０】
本発明の上記その他の特徴について、添付の図面に示す本発明の好ましい実施例を参照して説明する。
【００２１】
以下の本発明の実施例の説明を添付の図面と併せて読めば、本発明の上記その他の特性および利点ならびにそれらを実現する方法がさらに明らかになり、本発明をよりよく理解できる。
【図面の簡単な説明】
【００２２】
【図１】本発明の特徴を実現するシステムの実施例を示す図である。
【図２】本発明の１実施例による画面表示を示す図である。
【図３】本発明の１実施例による画面表示を示す図である。
【図４ａ】本発明の１実施例による画面表示を示す図である。
【図４ｂ】本発明の１実施例による画面表示を示す図である。
【図５】本発明による例示的な方法を示す流れ図である。
【図６】本発明の１実施例を示すブロック図である。
【００２３】
本明細書に記載する例示は、本発明の好ましい実施例を示すものであり、これらの例示は、いかなる意味においても本発明の範囲を限定するものと解釈すべきものではない。
【発明を実施するための形態】
【００２４】
本明細書で述べるように、本発明は、映像コンテンツを受信し、それを複数のディスプレイ・デバイスに提供し、あるディスプレイ・デバイスに提供されているコンテンツを別のディスプレイ・デバイスでも視聴できるようにする、ディスプレイ・サーバ装置およびそれに対応する方法を提供する。このようなディスプレイ・サーバは、別個のフレーム・バッファを備えたサーバに管理される複数のＵＩ画面、遠隔のディスプレイのモニタ、遠隔のデバイスがパスワードによってログインし、第１のディスプレイに提供されているコンテンツを視聴できる機能、複数のディスプレイ・デバイスに提供されているコンテンツを同時に視聴する機能、受信デバイスに合わせてコンテンツのサイズや解像度をスケーリングする機能、通常の映像、ウェブ・ページまたは符号化ビット・ストリームを送信する機能、遠隔デバイスからの遠隔制御入力やタッチ・スクリーンなどのデバイスからの入力を受信する機能など、最新の特性を備えることができる。
【００２５】
好ましい設計を有するものとして本発明を述べるが、本開示の趣旨および範囲内で、本発明をさらに修正することもできる。従って、本願は、本発明の一般的原理を用いた本発明の任意の変形、使用、改変をカバーするものである。さらに、本願は、本発明に関連し、添付の特許請求の範囲に含まれる、当技術分野の既知のまたは慣例的な実践の範囲内である本開示からの逸脱もカバーするものである。
【００２６】
本発明の特徴を実現するシステム１００の１実施例を、図１に示す。ディスプレイ・サーバ１５０は、接続１１５を介して第１のディスプレイ１１０に取り付けられ、接続１６５を介してビデオ・アクセス・ポイント（ＶＡＰ）１６０に取り付けられる。第２のディスプレイ１２０、タブレット・デバイス１３０、ラップトップ１４０など、様々なデバイスが、ＶＡＰ１６０を介してディスプレイ・サーバ１５０に接続することができる。インターネット１７０を介して遠隔のコンピュータ・デバイス１８０に接続することもできる。ディスプレイは、システムの構成に応じて、ディスプレイ１２０、ルータ１９０またはＶＡＰ１６０を介して、あるいは直接、ディスプレイ・サーバ１５０と通信することができる遠隔制御ユニット１２５を有することもできる。
【００２７】
ＶＡＰ１６０は、様々な有線または無線のネットワーク技術の何れを使用してもよい。高精細度テレビジョンの帯域幅要件から、ＩＥＥＥ８０２．１１ｎ  ワイヤレスやギガバイト・イーサネット（Ｇｉｇａｂｉｔ  Ｅｔｈｅｒｎｅｔ）（登録商標）などのネットワーク技術が特に適している場合がある。ＶＡＰ１６０の機能は、ディスプレイ・サーバ１５０内に収容してもよいし、図示のように別個に設けてもよい。実施例によっては、第１のディスプレイ１１０は、直接ディスプレイ・サーバ１５０に接続するのではなく、ＶＡＰ１６０に接続してもよい。実施例によっては、ルータ１９０を介する環境において、既存のネットワークを介して映像コンテンツを配信することもできる。ルータ１９０は、様々なネットワーク・デバイスへの有線または無線による接続を可能にし、インターネット１７０に接続することも可能にすることができる。場合によっては、ＶＡＰ１６０は、映像伝送用に別の無線プロトコルを使用して、ルータ１９０の無線ネットワークとの干渉や、ローカル・ネットワークの帯域幅の飽和を回避することもできる。
【００２８】
各デバイス１１０、１２０、１３０、１４０、１８０は、当該デバイスの制限の下で、それぞれ異なる番組のストリームをディスプレイ・サーバ１５０から取得することができる。例えば、ディスプレイ・サーバ１５０がチューナを２つしか備えていない場合には、ディスプレイ・サーバ１５０は、生放送で同調して提供できる番組の数は２つに限られる可能性がある。ディスプレイ・サーバ１５０は、ケーブル放送、衛星放送、インターネット放送、電波放送、あるいは内部記憶装置やネットワーク記憶装置など、様々なソースから番組コンテンツを受信することができる。ディスプレイ・サーバ装置１５０は、提供された音声および映像のストリームを、各遠隔デバイスの特徴および能力に応じてスケーリングおよびサイジングすることができることもある。このようなスケーリングおよびサイジングは、専用の画像処理構成要素を用いて行うこともできるし、汎用の計算ハードウェアを用いて行うこともできる。
【００２９】
ディスプレイ・サーバ１５０の位置で行われたユーザ入力は、Ｗｉ−ＦｉやＢｌｕｅｔｏｏｔｈなどのネットワーク・プロトコルの赤外線信号またはＲＦ信号を介してディスプレイ・サーバが直接受信することができる。ディスプレイ・サーバ１５０から遠隔に位置するディスプレイでは、ユーザ入力を受信し、それをディスプレイ・サーバに提供するために、様々な機構を使用することができる。環境によっては、無線ネットワークが利用できることもある。ネットワーク上の無線アクセス・ポイントに接続された遠隔制御デバイスが、ネットワークを介してディスプレイ・サーバと通信することもできる。別の環境では、赤外線リピータを使用して、遠隔のディスプレイでＩＲ信号を受信し、それらの信号をディスプレイ・サーバに送信することもできる。また別の環境では、リモート・コントローラなどのユーザ入力デバイスが、ディスプレイ・サーバと直接通信するＲＦトランシーバを備えることもできる。さらに別の環境では、ディスプレイ・デバイス１２０が、ディスプレイ・サーバとの接続を介してユーザ入力を受信し、それをディスプレイ・サーバに返送することもできる。タブレットまたはタッチ・スクリーン機能を備えたディスプレイ・デバイス１３０の場合には、画面入力をディスプレイ・サーバ１５０に戻して、その機能を制御することもできる。
【００３０】
遠隔のディスプレイ・デバイスのユーザが、セット・トップ・ボックスが直接接続されたディスプレイ・デバイスと同様のユーザ・インタフェース機能を備えている場合もある。例えば、第２のディスプレイ１２０で使用されている遠隔の制御デバイスが、「ガイド」ボタン、ナビゲーション・ボタン、およびチャネル変更ボタンを備えていることもある。さらに、ディスプレイ・サーバ１５０は、遠隔制御ユニット１２５をユーザ入力を与えるために使用して、ユーザがディスプレイ１２０からウェブまたはインターネットにアクセスできるようにすることもできる。
【００３１】
図２は、本発明の１実施例による画面表示を示す図である。実施例によっては、第１のディスプレイ・デバイス１１０が住宅の居間のテレビジョンであり、第２のディスプレイ・デバイス１２０が別の部屋のテレビジョンであることがある。内部ＶＡＰ機能を備えたディスプレイ・サーバ２５０は、接続２１５を介して第１のディスプレイ１１０に接続され、接続２２５を介して第２のディスプレイ１２０に接続される。接続２１５および２２５は、ＤＶＩ、ＨＤＭＩ、ＤｉｓｐｌａｙＰｏｒｔ、ＳＣＡＲＴ、ＨＤ１５、コンポジット、Ｓビデオもしくはコンポーネント映像出力、または有線もしくは無線のネットワーク接続、あるいは当該データを搬送することができるその他のデータ伝送システムの１つとすることができる。
【００３２】
番組ストリーム２１０を表示している第１のディスプレイ・デバイスの視聴者が、第２のディスプレイに映されているコンテンツ２２０もモニタしたいと思うことがある。ユーザ命令を受信すると、第１のディスプレイ１１０は、図３に示すように、第１の番組ストリームの縮小バージョン３１０および第２の番組ストリームの縮小バージョン３２０の両方を表示する。第２のディスプレイ１２０は、第２の番組ストリーム２２０を表示し続ける。第２の番組ストリーム２２０は、ピクチャ・イン・ピクチャ方式で第１の番組表示２１０内に表示することもできるし、透明にして重ねて表示することもできるし、第１のディスプレイ・デバイス１１０と連動する補助ディスプレイ中に表示することもできる。第２のディスプレイ・デバイス１２０は、視聴中のコンテンツが別のディスプレイでモニタされていることを示す指標を視聴者に提供することもできるし、提供しないこともできる。
【００３３】
実施例によっては、第１のディスプレイ１１０は、その他のディスプレイ・デバイスに関連する番組ストリームを視聴することを認める許可をデフォルトで有していることがある。第２のデバイス１２０は、第１のディスプレイ１１０などその他のデバイスに提供されている番組コンテンツの視聴を許可する前に、パスワードなどの認証を必要とするように構成することができる。
【００３４】
図４ａは、第２のデバイス１２０のユーザが第１のディスプレイ・デバイス１１０に提供されている番組コンテンツの視聴を求める要求を行った後の、本発明の１実施例による画面表示を示す図である。ユーザに対し、認証画面４４０が提示される。認証画面４４０は、英数字のパスワードを要求する、認証デバイスを挿入するようにユーザに命令する、またはその他の何らかの認証動作を実行することができる。図４ｂは、適当な認証証明が与えられた後の第２のディスプレイ１２０を示す図である。第２のディスプレイ１２０に最初から表示されていた番組の縮小バージョン４２０と、第１のディスプレイに表示されていた番組の縮小バージョン４１０とが、同時に表示されている。これらのコンテンツは、ピクチャ・イン・ピクチャ方式で表示することもできるし、重ね合わせて表示することもできるし、あるいはその他の形態で組み合わせて表示することもできる。
【００３５】
図５は、本発明の方法５００を示す流れ図である。この方法は、第１の番組コンテンツを含む第１の映像信号を生成すること（５１０）、前記第１の映像信号を第１の出力に提供すること（５２０）、第２の番組コンテンツを含む第２の映像信号を生成すること（５３０）、前記第２の映像信号を第２の出力に提供すること（５４０）、ユーザ入力を受信すること（５５０）、ならびに別のディスプレイのモニタを要求するユーザ入力を受信したことに応答して、前記第１の番組コンテンツおよび前記第２の番組コンテンツを含む第３の映像信号を生成して、前記第３の映像信号を前記第１の出力に提供すること（５６０）を含む。
【００３６】
図６は、ディスプレイ・サーバ１５０の１実施例を示すブロック図である。ディスプレイ・サーバは、ケーブル、衛星、またはその他のソースからのコンテンツ・ストリームに同調するための１つまたは複数のチューナ６１０、６２０、６３０を備えることができる。機能の中でも特に、ネットワークからコンテンツを取得し、ディスプレイ・デバイスと通信し、ユーザ入力を受信するために、ネットワーク・インタフェース６４０を使用することもできる。プロセッサ６６０により、システムの各構成要素の動作を連係させる。実施例によっては、複数のプロセッサを使用することもできる。ビデオ・アクセラレータ６７０は、プロセッサ６６０にかかる要求を軽減するビデオ・コプロセッシングを行う。ビデオ・アクセラレータ６７０は、スケーリング、サイズ変更、圧縮解除、圧縮などの機能を行うことができる。実施例によっては、プロセッサ６６０の性能から、ビデオ・アクセラレータ６７０の必要性が低下する、または全くなくなることもある。また別の実施例では、複数のビデオ・アクセラレータ６７０を使用して、より高度な映像処理を行う、または複数のディスプレイ・デバイスの映像処理を行うこともできる。各ビデオ・アクセラレータ６７０は、ディスプレイ用の映像データを生成し、記憶する、フレーム・バッファ回路を備えることができる。また別の実施例では、圧縮した映像データを遠隔のディスプレイに提供し、このディスプレイがデータを圧縮解除してローカルのフレーム・バッファ記憶装置に記憶することもできる。
【００３７】
具体的な実施例に関連して本発明について説明したが、本発明の範囲内で様々な修正を加えることができることを理解されたい。例えば、様々な処理ステップは、別個に実施してもよいし、組み合わせてもよい。また、様々な処理ステップは、汎用のデータ処理ハードウェアで実施してもよいし、専用のデータ処理ハードウェアで実施してもよい。
【図１】
0005587866.tif 000002
【図２】
0005587866.tif 000003
【図３】
0005587866.tif 000004
【図４ａ】
0005587866.tif 000005
【図４ｂ】
0005587866.tif 000006
【図５】
0005587866.tif 000007
【図６】
0005587866.tif 000008